(57)【要約】【課題】  海苔網を所定の深さに維持するための長さ調整綱を、簡単に、且つ、確実に支柱に固定する器具の提供。【解決手段】間隔をおいて立設された支柱に取り付けられた海苔養殖網の深さ調整綱を固定するための器具１０であって、リングを半円状に分割した複数の部材１１，１２からなり、この分割された部材１１，１２の一方の端部は、それぞれが相互に回動自在に連結され、他方の端部はそれぞれが連結固定可能に形成されている。【選択図】  図１
2007151491.tif 000002
【特許請求の範囲】
【請求項１】
間隔をおいて立設された支柱に取り付けられた海苔養殖網の深さ調整綱を固定するために前記支柱に取り付けられる固定器具であって、
リングを半円状に分割した形状の部材からなり、
この分割された部材の一方の端部は、回動自在に連結され、他方の端部は連結固定可能に形成された海苔養殖網の深さ調整綱の固定器具。
【請求項２】
リングが平面から見て円形環状、または、基本的に外形が多角形状または星形をなす請求項１に記載の海苔養殖網の深さ調整綱の固定器具。
【請求項３】
他方の端部を連結固定するための手段が、それぞれの端部に形成された係止用部材から構成されている請求項１に記載の海苔養殖網の深さ調整綱の固定器具。
【請求項４】
それぞれの他方の端部に設けられた部材から構成されている連結固定するための手段が、それぞれの他方の端部に設けられた部材と外部からの挿着部材とから構成されている請求項３に記載の海苔養殖網の深さ調整綱の固定器具。 
【請求項５】
リングを半円状に分割した部材の内面には、取り付けられる支柱との滑りを防止するための手段が施されている請求項１に記載の海苔養殖網の深さ調整綱の固定器具。  
【請求項６】
滑りを防止するための手段が、凹凸面の形成または研磨用シートを貼付したものである請求項５に記載の海苔養殖網の深さ調整綱の固定器具。 
【請求項７】
海苔養殖網が支柱に海面高さに応じて浮動する浮き輪に取り付けられたを吊り綱を有し、この浮き輪に取り付けられた吊り綱を介して支持されたものであり、固定器具は、前記浮き輪の浮動の高さを所定位置に調整する調整綱を固定するためのものである請求項１に記載の海苔養殖網の深さ調整綱の固定器具。 
【発明の詳細な説明】
【技術分野】
【０００１】
本発明は、海中に立設した支柱に海苔網を展張してこの海苔網に海苔を養殖する支柱方式による海苔養殖において、潮の干満、潮の動きによる海苔網の移動を抑えて、海苔養殖網を海面から一定の深さに維持するための長さ調整綱を支柱、俗称、竿に固定するための器具に関する。
【背景技術】
【０００２】
従来の支柱方式による海苔養殖の海苔網展張装置としては、図７に示すように、水深の浅い海の海底に適宜な間隔をおいて立設された多数の支柱ａに取り付けられた吊り綱ｂに支持されている。さらに、多数の支柱ａのほぼ中間位置には、海苔網ｃの短手方向に伸子棒ｄが、その両端を縁綱ｅに係止されて設けられており、これによって、海苔網ｃに浮力を与え、さらに海苔網ｃの捻れを防止している。  
【０００３】
この構造において、支柱ａと縁綱ｅとは大きい弛みを持たせた吊り綱ｂによって連結されているために、潮の干満による海面の上下動に合わせて、吊り綱ｂに連結された縁綱ｅの位置も上下動し、これに伴って、縁綱ｅに取り付けられた海苔網ｃの位置もある程度調整される。  
【０００４】
ところが、潮の流れや風等による海苔網ｃの左右前後の水平方向の移動に対しては、海苔網ｃの移動量が大きく、吊り綱ｂの長さの調整だけでは、海苔網ｃの左右前後の水平方向の移動に対して適切に位置せしめることは困難であった。
【０００５】
この潮の干満と流れによる海苔網の移動の問題を解決するための手段として、特許文献１には、図示するように、海苔網ｃを支持した縁綱ｅを、弛みのない吊り綱ｂに連結し、さらに、この吊り綱ｂを、支柱ａに挿通した海水に対して浮力を持った浮動環ｆに連結することによって、海苔網ｃを潮の干満による海面の上下動と、潮の流れや海上の風による海苔網の水平動に対応できるようにした海苔網展張装置が開示されている。
【０００６】
海苔を効率よく養殖するためには、海苔網ｃは、海苔を海面下、０．５〜１ｍ程度の深さに位置させなければならない。そのためには、海苔網ｃに連結した吊り綱ｂを緩みのない綱によって構成し、支柱ａに固定した一定長さの調整綱ｇの端部を吊り綱ｂに直接連結する浮動環ｆを介して連結する際にその長さを調整している。
【０００７】
そして、浮動環ｆを使用する場合には、浮動環ｆに調整綱ｇの端部を干潮時の長さに適用した長さとすることによって、浮動環ｆの潮の干満による動きを規制して浮動環ｆを干潮時に満潮時から一定深さ以上の位置にならないようにしている。
【０００８】
この浮動環ｆの使用の有無に拘わらず、海苔網ｃの上下の動きを規定するための深さ調整綱ｇを支柱ａに固定するためには、綱の支柱ａへの緊締を充分にして、支柱面がずれ落ちないようにする必要があり、そのためには、綱によるスナップを形成したり、綱の結び方を工夫して支柱への固定を行っている。
【０００９】
ところが、海苔網の移動範囲を規定するための長さ調整綱を支柱に固定するための作業は、波と風の中で波に揺れる舟の上からの作業となり、また、支柱表面も濡れているために滑りやすく手間と熟練を要し、海苔網の設置作業の効率化の大きな障害となっている。
【特許文献１】特許第３４２４８９１号公報
【発明の開示】
【発明が解決しようとする課題】
【００１０】
本発明において解決すべき課題は、海苔網を所定の深さに安定して維持するための長さ調整綱を、簡単に、且つ、確実に支柱に固定する器具の提供にある。
【課題を解決するための手段】
【００１１】
本発明は、間隔をおいて立設された支柱に取り付けられた海苔養殖網の深さ調整綱を固定するための器具であって、リングを半円状に分割した複数の部材からなり、この分割された部材の一方の端部は、それぞれが相互に回動自在に連結され、他方の端部はそれぞれが連結固定可能に形成されていることを特徴とする。 
【００１２】
本発明の固定具は、通常、外径が５０ｍｍ程度の支柱に取り付け固定されるものであるため、取り付け固定後、落下しないように、閉じられたリング状の内孔径が、この支柱よりも僅かに小さい径を持つことが必要で、形成したリングの内孔面に凹凸面その他の滑り止めを講じることも必要となる。
【００１３】
また、取り付けのための作業環境が、小型の舟上で人手によって、海水で濡れた支柱表面に取り付けられるものであり、持ちやすくて作業性がよく、さらに、取り付け後は、海中に保持されるものであるから、海中にあっては、抵抗の少ないリング状の外形、例えば、駒形の外形に限らず、ドーナツ形であるのが都合がよい。また、取り扱いに際しての滑りを防止するために、その外形を角に丸みを持たせた多角形、さらには、星形の形状に形成することもできる。
【００１４】
さらに、分割された部材の端部を連結固定するための手段としては、それぞれの端部に形成された係止用部材から構成することができる。この係止用部材としては、分割部材の端部に係止部を形成することもできるし、また、係止のための部材を取り付けることもできるし、さらには、留め部材を外部から挿着する形式など、任意の形態を採ることができる。
【発明の効果】
【００１５】
この固定器具は、簡単に、且つ、確実に支柱に固定でき、そして、この固定器具に形成された挿通穴を利用して調整用綱を簡単に取り付けることができ、潮の干満や、流れに拘わらず、海苔網を所定の深さ、位置に正確に且つ簡単に配置することができる。
【発明を実施するための最良の形態】
【００１６】
以下、実施例によって本発明の実施形態を説明する。
【実施例】
【００１７】
実施例１
図１と図２は本発明の第１の実施例に係る固定器具１０の外形を示し、図１は支柱に取り付ける前の状態を、また、図２は支柱ａに取り付け固定した状態を示す。
【００１８】
同図において、本発明の固定器具１０は、硬質で耐食性のプラスチック材からなり、中央部が厚く端部が薄く形成された駒状の本体１からなり、その中央に支柱に通すための内孔２が設けられたリング状をなす。
【００１９】
リング状の本体１は、二つの半弦状の分割部材１１と１２から形成されており、それぞれの一方の端部、すなわち、基部はピン３によって枢支されて開閉自在に構成されている。
【００２０】
そして、それぞれの分割部材１１と１２の他方の端部、すなわち、開放端部には切り込み４が形成され、その切り込み４にはそれぞれの分割部材の開放端部を連結して全体をリング状に形成するための係止器具５が設けられている。
【００２１】
この切り込み４は、図２に示すように、分割部材１１と１２の開放端部を連結して全体をリング状に形成して、支柱ａを内孔２に固定した際、係止器具５がリング状の固定器具１０の外周面から外方に突出した場合には、海苔網の作業の邪魔になって、係止器具５による係止が外れたりしないようにするためである。  
【００２２】
また、係止器具５としては、留め金式の他にバネ材を使用し、その両端を係止する方式のものを使用することもできる。この際には、分割部材の開放端部に切り込み４を形成する代わりに、その外周面に溝を形成することができる。また、この係止器具５としては、各分割部材に一体的に係止機構を形成しても良いし、また、スプリングによって係止する方式のものを使用してもよい。
【００２３】
６は、内孔２の内周に沿って設けられた滑り止めであって、器具１０を支柱の外周面に緊締した際、滑り落ちるのを防止するためのものである。
【００２４】
７は、器具表面から裏面に貫通して設けた海苔網を海面下の特定位置に保持するための調整綱を挿通するための穴を示す。
【００２５】
本発明の固定器具１０は、分割部材１１と１２を開いた状態で、支柱に取り付けたのち、図２に示すように、それぞれ分割部材１１と１２の開放端に取り付けられた係止器具５を留めるだけて、簡単に、支柱ａに強く緊締し固定することができる。
【００２６】
固定器具１０は、このように、支柱ａに強く固定されているので、海苔網の海面下の停止位置を調整する調整綱は、この固定器具１０に取り付けるだけで機能させることができ、従来のように、調整綱そのものを支柱に緊締させるものではないので、その取り付け作業は簡単になる。
【００２７】
図３は、本発明の固定器具１０の使用形態を、浮遊環ｆを使用した場合を例に挙げて説明する。勿論、浮遊環ｆを使用しないで、直接、吊り綱ｂによって、海苔網ｃの支持のために使用することもできる。
【００２８】
同図において、Ｉは干潮時の水位を、また、ＩＩは満潮時の水位を示す。本発明の固定器具１０は、干潮と満潮の中間の水位の時期を見計らって、上記の要領で、満潮時の水位ＩＩよりも１ｍ程度低い位置で、支柱ａに取り付け固定している。
【００２９】
図示の場合、深さ調整綱ｇは、浮動環ｆを介して取り付けられた海苔網ｃを、干潮、満潮を問わず、海面下０．５ｍに位置させるために、浮動環ｆを所定の位置にあるようにするための綱であって、支柱ａの固定器具１０の僅か上方で、結び固定され、固定器具１０を介して、固定器具１０の下方位置に配置された浮動環ｆに取り付けられている。
【００３０】
その深さ調整綱ｇの長さは、干満の差の程度の長さがよい。そして、浮動環ｆには海苔網ｃを支持する吊り綱ｂが取り付けられている。そして、干満の差によって、浮動環ｆが上下し、それに伴って、浮動環ｆに取り付けられた吊り綱ｂも上下する。
【００３１】
その際、深さ調整綱ｇは固定器具１０によって固定されているので、深さ調整綱ｇの長さを予め所定の長さに調整しておくことで、仮に、引き潮の程度が平均を超えた場合でも、浮動環ｆは深さ調整綱ｇの長さによって拘束されることになるので、浮動環ｆに取り付けられた海苔網ｃを支持する吊り綱ｂの動きも拘束されることになり、これによって、海苔網ｃを常に海面下の所定の位置に保持することが可能になる。
【００３２】
実施例２
図４は、本発明の深さ調整綱の固定具の第２の実施例２０に係るもので、図１に示す第１の実施例に対し、固定具本体１を薄くすることによって、取り扱いを便利にしたものである。
【００３３】
この実施例２０の場合も、本体１は、基部を回動自在に取り付けた２つの分割部材１１と１２から構成され、調整綱挿通用穴７は、本体の外面に設けた張り出し部材８に設けられている。
【００３４】
この実施例２０の場合の２つの分割部材１１と１２の開放端部の連結のための係止器具５は、図示するように、それぞれの分割部材１１と１２の開放端部に形成したピン挿入穴５１１を設けた凹凸部５１と、ピン挿入穴５２１を設けた装着部材５２と、それぞれのピン挿入穴５２１に挿入して分割部材１１と１２の開放端部を連結するための挿入ピン５３とからなる。
【００３５】
この固定具２０を支柱に取付け固定するには、分割部材１１と１２の開放端部を開いて支柱の周囲に囲繞したのち、図５に示す分割部材１１と１２の開放端部に形成した操作用の耳１１１，１２１を掴んで、分割部材１１と１２を支柱に締め付けたのち、係止器具５の装着部材５２を分割端部に装着し、挿入ピン５３をそれぞれの挿入穴５２１、５１１に挿入して、支柱ａに締め付け固定する。
【００３６】
そして、上記実施例１の場合と同じ要領で深さ調整綱ｇを固定したのち、吊り綱ｂを介して海苔網ｃを所定の海面下に保持する。
【００３７】
実施例３
図６に実施例３の平面形状を示す。この実施例３０は、上記それぞれの実施例の本体１が上方から見て、その外形が円形に形成されているのに対して、６角の星形に形成されており、円形の場合と対比して滑りがないように成されたものである。分割部材１１，１２の一方の端部はピン３によって相互に回動自在になっている。分割部材の相互を矢印の方向に寄せることによって、一方の分割部材１１の端部に形成されたフック５４が、他方の分割部材１２の先端に形成された留め部材５５に係止されて、図示しない支持材に固定される。７は、星形外形の突出部に形成された調整綱挿通用穴を示す。
【図面の簡単な説明】
【００３８】
【図１】本発明の固定器具の第１の実施例を示す。
【図２】第１の実施例の固定器具を支柱に取り付けた状態を示す。
【図３】本発明の固定器具の作動状態を示す。
【図４】本発明の固定器具の第２の実施例を示す。
【図５】第２の実施例の固定器具を支柱に取り付けた状態を示す。
【図６】第３の実施例の平面形状を示す。
【図７】一般の海苔養殖網の態様を示す。
【符号の説明】
【００３９】
１０、２０  固定器具
１  本体      １１、１２  分割部材
２  内孔      ３  ピン      ４  切り込み  
５  係止器具、係止部
５１  凹凸部      ５２  装着部材      ５１１，５２１  ピン挿入穴
５３  挿入ピン    ５４  フック      ５５  留め部材
６  滑り止め      ７  調整綱挿通用穴
ａ  支柱      ｂ  吊り綱      ｃ  海苔網      ｄ  伸子棒      ｅ  縁綱
ｆ  浮動環      ｇ  深さ調整綱
Ｉ、ＩＩ      海面の高さ  
【図１】
2007151491.tif 000003
【図２】
2007151491.tif 000004
【図３】
2007151491.tif 000005
【図４】
2007151491.tif 000006
【図５】
2007151491.tif 000007
【図６】
2007151491.tif 000008
【図７】
2007151491.tif 000009